(57)【要約】【課題】電子化・精密化によって取り扱いに細心の注意を要するパチンコ遊技台の搬送保管作業において、容易で安全にそして一度に多くの遊技台を効率的に運搬および保管できる専用台車を提供する。【解決手段】遊技台搬送用台車に棚割り構造の収納スペースを複数設け、遊技台を立て置き状態で差し入れると共に、運搬時の衝撃から遊技台を保護する保持固定の機構を備えて落下破損事故を防ぐ構造を特徴とする。【選択図】　図１
2004057280.tif 000002
【特許請求の範囲】
【請求項１】
複数の遊技台を釘止めすることなく立て置き状態にて台車に収納するための仕切り棚状構造を備え、数台乃至数十台単位での一括搬送および倉庫内保管を容易におこなえることを特徴とするパチンコ遊技台を搬送するための遊技台専用台車。
【請求項２】
車載運送時および積み卸し作業時等において衝撃を受けても遊技台を堅牢に保持固定できるとともにレバー操作によって簡単に固定および解除ができるスライド式の狭持機構を備えることを特徴とする請求項１に記載の遊技台専用台車。
【請求項３】
遊技台を保持固定するための狭持機構において、パチンコ台前面の装飾部損傷防止のために衝撃吸収材を備えたことを特徴とする請求項１に記載の遊技台専用台車。
【請求項４】
車載運送時および積み卸し作業時等において、収納した遊技台が滑落損傷しないように収納部前面に落下防止用バーを設けたことを特徴とする請求項１に記載の遊技台専用台車。
【発明の詳細な説明】
【０００１】
【発明の属する技術分野】
本発明は、容易に且つ安全にパチンコ遊技台の搬送および保管をおこなうための専用台車に関する。
【０００２】
【従来の技術】
従来よりパチンコ遊技台の搬送は、人手による担ぎ上げ、多数の場合にはローラーコンベヤーを敷いて滑走させながら移動させたりしており、現場における作業効率の悪さと遊技台の取り扱い上問題点があった。また、手押し台車に載せても荷崩れのおそれがあり一台か、またロープ等で結束しても多くて２，３台の搬送が限界だった。
【０００３】
【発明が解決しようとする課題】
従来よりパチンコホールが新規開店後に遊技台の入れ替えを定期的におこなうにあたり、輸送業者によってその都度遊技台の搬入搬出がなされているが、近年パチンコ遊技台の電子化、精密化によって、台あたりの重量が増すと共に電子機器の多用により非常に衝撃に弱くなってきている。このため輸送業者による搬送にも細心の注意を要し、また遊技台は基本的に立て置き状態での移動および保管が求められるため、結局は人による担ぎ上げやローラーコンベヤーに沿ってゆっくり滑走させていく程度で作業効率は良くなかった。
【０００４】
【課題を解決するための手段】
本発明は、パチンコ遊技台の搬送作業において、複数台を効率的で迅速且つ安全に移動できるように立て置き状態で収納するための棚状のスロットを有し、遊技台の保持固定の機構を備えたことによって搬送時の多少の衝撃にも影響を受けないよう手段を講じたものである。
【０００５】
【発明の実施の形態】
発明の実施の形態を実施例に基づき図面を参照して説明する。
図１に例を示すとおり、本発明にかかる遊技台専用台車は、台車フレーム部１の底部に移動用の車輪５を装備している。
【０００６】
【実施例】
台車フレーム部１は、スチールまたはアルミ合金等の金属製か、もしくは木製あるいはプラスチック樹脂製等によって製作されており、台車自体の軽量化と移動保管時に受けうる衝撃に対して必要充分な強度を併せ持つ素材を用いる。
【０００７】
従来からいわゆる車輪付の手押し荷物台車は存在するが、パチンコ遊技台は基本的に横に寝かせて平積みする運搬方法が採れないため、一台か多くても２，３台を荷物台車に立て置きすれば、それが一回の運搬の限界であった。
【０００８】
しかしながら、本発明の台車は遊技台を立て積みするための専用区画を棚割りした遊技台収納スペース２を複数箇所設け、また収納した遊技台４の相互の間隔を設けているため、積み込みおよび積み卸し作業中に遊技台が接触して破損してしまう危険性が少なくなっている。
【０００９】
遊技台収納スペース２に納められた遊技台４は、収納スペース上下に取り付けられた遊技台保持固定具３によって、滑落しないよう固定されている。
【００１０】
遊技台保持固定具３は、従来のような釘打ちによるフレームへの固定方法ではなく、遊技台の外枠体を傷つけずに保持できる機構を有している。
【００１１】
遊技台保持固定具３の両間隔は、遊技台４を立て置き状態で収納スペース２に側面から差し入れる際に、遊技台枠体の厚さよりも若干狭くなっており、差し入れられた遊技台を挟み込む状態となって保持する機構となっている。
【００１２】
挟み込むための構造としては、遊技台保持固定具３にバネを付属するほかに、固定具自体に弾性をもたせることで差し入れ時にはやや弛緩し、差し入れ後には充分な押力で遊技台を保持する機構が考えられる。
【００１３】
更に図２に示すように効率的な遊技台保持の方法として、棚割りした遊技台収納スペース２の全域を一回でレバー７の操作によって固定と解除ができるようにスライド式の狭持機構６を備えるものがある。
【００１４】
スライド式の狭持機構は、遊技台収納スペース２においてスライド狭持部６の開閉によって遊技台を挟み込むことによって保持固定し、この固定と解除の操作はレールスライド式可動部８に直結され、全ての遊技台収納部を一括してスライド狭持部６を開閉させるための固定操作レバー７によっておこなう。
【００１５】
また、遊技台を挟み止めるためのスライド狭持部６には、遊技台前面を装飾している損傷しやすいプラスチック製等の部材を保護するためにクッション材としてウレタンやスポンジ等が付設されている。
【００１６】
加えて遊技台収納スペース２の中間程を横断するような落下防止用のバー９やベルトを設けることによって運搬時に遊技台の滑落損傷事故を防止する。また一例として、差し入れ口側と奥側とに落ち込み傾斜を持たせれば、更に滑落しにくくなる。
【発明の効果】
この発明は前記のように構成されており、以下に記載のような効果を有する。
【００１７】
近年では、パチンコホールの機種入れ替えは、一度の交換台数は少なく、そして時期は頻繁に入れ替える傾向が強くなっており、毎度ローラーコンベヤーを敷設する程もなく、とはいえ人による担ぎ上げでは搬出入作業の要員を準備できない事情がある。
【００１８】
遊技台の運搬において、積載したパチンコ遊技台は、輸送車両への積み込み積み卸しから、パチンコホール内の移動、保管倉庫内での移動・保管など、頻繁に移動をおこなうために滑落損傷事故を生じないよう確実に保持される仕組みが必要とされる。
【００１９】
よって、従来より複数台の遊技台をまとめて取り扱う場合には、遊技台側面を木枠に釘打ちするなどにより堅固に梱包をおこなっているが、反面において遊技台の取付作業時に木枠からの取り外しの手間を要し、固定していた釘抜き後に遊技台側面の傷跡が残るなど外観上もまた遊技台に与える釘打ち釘抜き時の衝撃も望ましいものではなかった。
【００２０】
本発明は、このようなパチンコ遊技台の搬送・保管時において、積載した遊技台を滑落することなく確実に保持すると共に、ホールにおいて遊技台の取付・取り外し作業時に簡単な操作によって遊技台の保持を解除し、また取り外された遊技台を収納後、再び簡単に保持固定できる効果を有する。
【００２１】
また、本発明の機構は、一操作によって専用台車に積載された全ての遊技台の保持状態を固定・解除できるので、ホール内での取付け・取り外し作業において、専用台車からの遊技台の取り出しまたは収納後、すぐに保持固定状態にして、安全に移動を開始することができ、続いてまたすぐに保持解除して遊技台の取付け・取り外し作業にかかることができる利点がある。
【００２２】
また本考案にかかる遊技台専用台車は、底部に車輪を装備し、手押しによって各所への移動を可能とするが、車輪を取り外せばパチンコ遊技台の保管専用庫としての利用もでき、この場合は上方へ複数の台車を積み上げることによって底面積当たりの遊技台保管数量が増えて効率的な保管が可能となる効果もある。
【図面の簡単な説明】
【図１】本発明の全体図
【図２】本発明の狭持機構を示す上面図
【符号の説明】
１…台車フレーム部
２…遊技台収納スペース
３…遊技台保持固定具
４…パチンコ遊技台
５…車輪
６…スライド狭持部
７…固定操作レバー
８…レールスライド式可動部
９…落下防止用バー
【図１】
2004057280.tif 000003
【図２】
2004057280.tif 000004